【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
呼吸ガスのフローを患者の気道に供給するための患者インタフェース装置であって、
弾性材料から形成される本体を有する溝付き調節機構を有し、
前記本体は、各々が溝を含む複数の巻回が設けられた外側表面を有し、前記複数の巻回は、前記本体に沿って長手方向に互いに隣り合って延在し、各巻回は、それに関連するスチフネスを有し、それによって前記本体の第１の側から前記本体の第２の側へ向かって複数の制御されるスチフネスを形成し、各々の制御されるスチフネスは、前記巻回の別個のものに関連付けられ、前記複数の制御されるスチフネスは、前記本体の第１の側から前記本体の第２の側へ向かって増大する、患者インタフェース装置。
【請求項２】
各巻回と関連する前記制御されるスチフネスは、当該巻回の溝の溝スチフネスである、請求項１に記載の患者インタフェース装置。
【請求項３】
各溝は、前記本体の、関連する断面厚さを有する部分によって規定され、
各溝の溝スチフネスは、当該溝を規定する前記部分の前記断面厚さによって決定され、
前記断面厚さは、前記本体の前記第１の側から前記本体の前記第２の側へ向かって増大する、請求項２に記載の患者インタフェース装置。
【請求項４】
各溝の溝スチフネスは、当該溝の断面厚さ、当該溝の深さ、当該溝の幅及び当該溝のジオメトリのうち少なくとも１つによって決定される、請求項２に記載の患者インタフェース装置。
【請求項５】
前記本体の最前方の溝の中心に垂直な第１の線と前記本体の最後方の溝の中心に垂直な第２の線との間の角度αが、ゼロより大きい、請求項１に記載の患者インタフェース装置。
【請求項６】
前記角度αは、８度と１３度の間である、請求項５に記載の患者インタフェース装置。
【請求項７】
可撓性密閉クッションと、
剛性支持構造と、
前記密閉クッションと前記剛性支持構造との間に設けられる調節アセンブリと、
を有し、
前記調節アセンブリは、前記溝付き調節機構を有し、
前記本体の前記第１の側は、前記剛性支持構造に隣接し及び結合され、前記本体の前記第２の側は、前記密閉クッションに隣接し及び結合される、請求項１に記載の患者インタフェース装置。
【請求項８】
前記巻回は、前記本体の上側及び各側方にのみ設けられ、前記上側は、前記患者インタフェース装置が患者によって装着される場合に患者の目の方を向く、請求項７に記載の患者インタフェース装置。
【請求項９】
可撓性密閉クッションと、
前記密閉クッションに結合される剛性支持構造と、
を有し、
前記剛性支持構造は、支持フレームに結合される額クッションを有する額支持体を有し、前記額クッションが、前記溝付き調節機構を有する、請求項１に記載の患者インタフェース装置。
【請求項１０】
前記患者インタフェース装置は、第１の端部及び該第１の端部と反対側の第２の端部を有する密閉クッションを有し、前記第１の端部は、少なくとも１つの開口部を規定する少なくとも１つの患者密閉表面を有し、
前記密閉クッションは、前記溝付き調節機構を有し、
前記溝付き調節機構の前記本体の前記第１の側は、前記密閉クッションの前記第１の端部に隣接し、前記溝付き調節機構の前記本体の前記第２の側は、前記密閉クッションの前記第２の端部に隣接する、請求項１に記載の患者インタフェース装置。
【請求項１１】
前記密閉クッションは、鼻クッションであり、前記巻回は、前記本体の後側及び両側方にのみ設けられ、前記後側は、前記患者インタフェース装置が患者によって装着される場合に患者の口の方を向く、請求項１０に記載の患者インタフェース装置。
【請求項１２】
各巻回は、当該巻回の溝に隣接する遷移領域を有し、各巻回と関連する前記制御されるスチフネスは、前記巻回の遷移領域の遷移スチフネスである、請求項１０に記載の患者インタフェース装置。
【請求項１３】
各遷移領域は、前記本体の、関連する断面厚さを有する部分によって規定され、各遷移領域の遷移スチフネスは、当該遷移領域を規定する前記部分の前記断面厚さによって決定され、前記断面厚さは、前記本体の前記第１の側から前記本体の前記第２の側へ向かって増大する、請求項１２に記載の患者インタフェース装置。
【請求項１４】
前記本体の最前方の溝の中心に垂直な第１の線と前記本体の最後方の溝の中心に垂直な第２の線との間の角度が、ゼロより大きい、請求項１０に記載の患者インタフェース装置。
【請求項１５】
前記溝付き調節機構は、前記溝付き調節機構に印加される力に応じて弓形に畳まれるように構成される、請求項１に記載の患者インタフェース装置。
【請求項１６】
呼吸ガスのフローを患者の気道に供給するように構成された患者インタフェース装置を調節する方法であって、
前記患者インタフェース装置を装着するステップであって、前記患者インタフェース装置は、弾性材料から形成される本体を有する溝付き調節機構を有し、前記本体は、各々が溝を含む複数の巻回が設けられた外側表面を有し、前記複数の巻回は、前記本体に沿って長手方向に互いに隣り合って延在し、各巻回は、それに関連するスチフネスを有し、それによって前記本体の第１の側から前記本体の第２の側へ向かって複数の制御されるスチフネスを形成し、各々の制御されるスチフネスは、前記巻回の別個のものに関連付けられ、前記複数の制御されるスチフネスは、前記本体の第１の側から本体の第２の側へ向かって増大する、ステップと、
前記患者インタフェース装置に力を印加するステップであって、前記力に応じて、前記巻回の１又は複数が畳まれる、ステップと、
を含む方法。
【請求項１７】
前記巻回の１又は複数は、増大するスチフネスに基づいて順に畳まれる、請求項１６に記載の方法。
【請求項１８】
前記患者インタフェース装置が更に、
可撓性密閉クッションと、
剛性支持構造と、
前記密閉クッションと前記剛性支持構造との間に設けられる調節アセンブリと、
を有し、
前記調節アセンブリは、前記溝付き調節機構を有し、
前記本体の前記第１の側は、前記剛性支持構造に隣接し及び結合され、前記本体の前記第２の側は、前記密閉クッションに隣接し及び結合され、
前記患者インタフェース装置に力を印加する前記ステップは、前記剛性支持構造に力を印加することを含む、請求項１６に記載の方法。
【請求項１９】
前記巻回が、前記本体の上側及び両側方にのみ設けられ、前記上側は、前記患者インタフェース装置が患者によって装着される場合に患者の目の方を向く、請求項１８に記載の方法。
【請求項２０】
前記溝付き調節機構は、前記力に応じて弓形に畳まれるように構成される、請求項１８に記載の方法。
【請求項２１】
前記患者インタフェース装置が更に、
可撓性密閉クッションと、
前記密閉クッションに結合される剛性支持構造と、
を有し、
前記剛性支持構造は、支持フレームに結合される額クッションを含む額支持体を有し、前記額クッションは、前記溝付き調節機構を有し、前記患者インタフェース装置に力を印加する前記ステップは、前記支持フレームに力を印加することを含む、請求項１６に記載の方法。
【請求項２２】
前記患者インタフェース装置は、第１の端部及び該第１の端部と反対側の第２の端部を有する密閉クッションを有し、前記第１の端部は、少なくとも１つの開口部を規定する少なくとも１つの患者密閉表面を有し、前記密閉クッションは、前記溝付き調節機構を有し、
前記溝付き調節機構の前記本体の前記第１の側は、前記密閉クッションの前記第１の端部に隣接し、前記溝付き調節機構の前記本体の前記第２の側は、前記密閉クッションの前記第２の端部に隣接する、請求項１６に記載の方法。
【請求項２３】
前記密閉クッションは、鼻クッションであり、前記巻回は、前記本体の後側及び両側方にのみ設けられ、前記後側は、前記患者インタフェース装置が患者によって装着される場合に患者の口の方を向く、請求項２２に記載の方法。
【請求項２４】
呼吸ガスのフローを患者の気道に供給するための患者インタフェース装置であって、
弾性材料から形成される本体を有する溝付き調節機構を有し、
前記本体は、第１の溝及び第２の溝が設けられた外側表面を有し、
前記第１の溝及び前記第２の溝の各々は、前記本体の少なくとも一部の周りで横方向に延在し、
前記第１の溝は、第１の幅、第１の厚さ及び第１の長さを有し、前記第２の溝は、第２の幅、第２の厚さ及び第２の長さを有し、前記第１の幅は前記第２の幅と異なり、前記第１の厚さは前記第２の厚さと異なり、前記第１の長さは前記第２の長さと異なる、患者インタフェース装置。
【請求項２５】
前記第１の幅は前記第２の幅より大きく、前記第１の厚さは前記第２の厚さより大きく、前記第１の長さは前記第２の長さより大きい、請求項２４に記載の患者インタフェース装置。
【請求項２６】
前記本体の前記外側表面が更に第３の溝を有し、
前記第３の溝は、前記本体の少なくとも一部の周りで横方向に延在し、前記本体に沿って長手方向において前記第２の溝と隣り合って延在し、
前記第３の溝は、第３の幅、第３の厚さ及び第３の長さを有し、
前記第１の幅、前記第２の幅及び前記第３の幅は互いに異なり、前記第１の厚さ、前記第２の厚さ及び前記第３の厚さは互いに異なり、前記第１の長さ、前記第２の長さ及び前記第３の長さは互いに異なる、請求項２４に記載の患者インタフェース装置。
【請求項２７】
前記第１の幅は前記第２の幅より大きく、前記第２の幅は前記第３の幅より大きく、前記第１の厚さは前記第２の厚さより大きく、前記第２の厚さは前記第３の厚さより大きく、前記第１の長さは前記第２の長さより大きく、前記第２の長さは前記第３の長さより大きい、請求項２６に記載の患者インタフェース装置。
【請求項２８】
前記溝付き調節機構は、第１の端部及び該第１の端部と反対側の第２の端部を有するクッションの一部であり、
前記第１の端部は、患者密閉部分を有し、前記第２の端部は、前記クッションが流体供給コンジットと流体連絡することを可能にする開口部を規定し、
前記第１の溝は、前記第１の端部の最も近くに位置し、前記第３の溝は、前記第２の端部の最も近くに位置し、前記第２の溝は、前記第１の溝と前記第３の溝との間に位置する、請求項２７に記載の患者インタフェース装置。